(57)【特許請求の範囲】
【請求項１】
カラオケ装置を含むカラオケシステムと、携帯端末で実行されるプログラムと、サーバ装置と、を備えたカラオケ管理システムにおいて、
カラオケシステムは、判定情報出力処理を実行可能とし、
判定情報出力処理は、カラオケシステムの識別情報を含んだ判定情報を出力し、
プログラムは、判定情報取得処理と、ログイン要求処理と、遠隔操作処理と、を実行可能とし、
判定情報取得処理は、判定情報出力処理で出力された判定情報を取得し、
ログイン要求処理は、判定情報取得処理で取得した判定情報中の識別情報と、ユーザのアカウント情報を含むログイン要求をサーバ装置に送信し、
遠隔操作処理は、携帯端末と同じアカウント情報でログインしているカラオケシステムに対して、入力に応じたコマンド情報を出力し、
サーバ装置は、認証処理を実行可能とし、
認証処理は、携帯端末からログイン要求を受信した場合、ログイン要求に含まれるユーザのアカウント情報を使用して認証を行い、認証に成功した場合、ログイン要求に含まれる識別情報に対応するカラオケシステム、及び、ログイン要求を送信した携帯端末を、ログイン要求に含まれるアカウント情報でログインさせる
カラオケ管理システム。
【請求項２】
遠隔操作処理は、携帯端末と同じアカウント情報でログインしているカラオケシステムに対応するユーザインターフェイスを使用して入力を受け付ける
請求項１に記載のカラオケ管理システム。
【請求項３】
判定情報は、サーバ装置から受信した認証情報を含み、
ログイン要求は、判定情報に含まれる認証情報を含み、
認証処理は、ユーザのアカウント情報に加え、ログイン要求に含まれる認証情報を使用して認証を行う
請求項１または請求項２に記載のカラオケ管理システム。
【請求項４】
判定情報出力処理は、画像化された判定情報を表示出力する
請求項１から請求項３の何れか１項に記載のカラオケ管理システム。
【請求項５】
ログイン要求処理は、携帯端末に記憶しているアカウント情報を使用する
請求項１から請求項４の何れか１項に記載のカラオケ管理システム。
【請求項６】
判定情報取得処理において、判定情報を取得したことを契機として、ログイン要求処理を実行する
請求項５に記載のカラオケ管理システム。
【発明の詳細な説明】
【技術分野】
【０００１】
本発明は、歌唱を楽しむためのカラオケ装置、及び、カラオケ装置とネットワークで接続されたサーバ装置を含むカラオケシステムと、携帯型情報処理装置にて実行可能なプログラムを備えたカラオケ管理システムに関する。
【背景技術】
【０００２】
伴奏に合わせて歌唱を楽しむカラオケは、カラオケボックスやスナック等のナイト店において広く楽しまれている。従来、カラオケを行うためのカラオケ装置は、専用のリモコン装置を操作することで、楽曲の予約等、各種操作を行うことが可能であった。近年、スマートフォン等、個人が所有する携帯端末の高機能化に伴い、携帯端末をカラオケ装置のリモコンとして使用することが行われている。携帯端末をカラオケ装置のリモコンとして使用するには、携帯端末から発信されたコマンドを、操作対象となるカラオケ装置に送信する必要があり、事前に携帯端末と操作対象となるカラオケ装置を対応付ける必要がある。
【０００３】
特許文献１には、携帯端末をカラオケ装置のリモコンとして使用可能なカラオケシステム、携帯機器用プログラムが開示されている。このカラオケシステムでは、リモコンでのログイン操作と、携帯端末でのログイン操作を行うことで、携帯端末と操作対象となるカラオケ装置との対応付けが行われている。
【先行技術文献】
【特許文献】
【０００４】
【特許文献１】特開２０１３−３７１４６号公報
【発明の概要】
【発明が解決しようとする課題】
【０００５】
特許文献１に開示されるカラオケシステムでは、携帯端末を使用対象となるカラオケ装置のリモコンとして使用する場合、リモコン装置及び携帯端末の両方について、ログイン操作を行う必要がある。すなわち、リモコン装置と携帯端末に対して同じ操作を２回、行う必要があり、ユーザに対する操作性は面倒なものとなっていた。したがって、便利な機能ではあるが、ユーザの中には利用開始時の面倒さ故、利用をためらう者もいた。
【０００６】
本発明はこのような課題に基づくものであり、簡単な操作で、携帯端末、及び、カラオケシステムに対して対応付けすることが可能とすることを目的としている。
【課題を解決するための手段】
【０００７】
そのため、本発明に係るカラオケ管理システムは以下の構成を採用するものである。
カラオケ装置を含むカラオケシステムと、携帯端末で実行されるプログラムと、サーバ装置と、を備えたカラオケ管理システムにおいて、
カラオケシステムは、判定情報出力処理を実行可能とし、
判定情報出力処理は、カラオケシステムの識別情報を含んだ判定情報を出力し、
プログラムは、判定情報取得処理と、ログイン要求処理と、遠隔操作処理と、を実行可能とし、
判定情報取得処理は、判定情報出力処理で出力された判定情報を取得し、
ログイン要求処理は、判定情報取得処理で取得した判定情報中の識別情報と、ユーザのアカウント情報を含むログイン要求をサーバ装置に送信し、
遠隔操作処理は、携帯端末と同じアカウント情報でログインしているカラオケシステムに対して、入力に応じたコマンド情報を出力し、
サーバ装置は、認証処理を実行可能とし、
認証処理は、携帯端末からログイン要求を受信した場合、ログイン要求に含まれるユーザのアカウント情報を使用して認証を行い、認証に成功した場合、ログイン要求に含まれる識別情報に対応するカラオケシステム、及び、ログイン要求を送信した携帯端末を、ログイン要求に含まれるアカウント情報でログインさせる。
【０００９】
さらに本発明に係るカラオケ管理システムにおいて、
遠隔操作処理は、携帯端末と同じアカウント情報でログインしているカラオケシステムに対応するユーザインターフェイスを使用して入力を受け付ける。
【００１０】
さらに本発明に係るカラオケ管理システムにおいて、
判定情報は、サーバ装置から受信した認証情報を含み、
ログイン要求は、判定情報に含まれる認証情報を含み、
認証処理は、ユーザのアカウント情報に加え、ログイン要求に含まれる認証情報を使用して認証を行う。
【００１１】
さらに本発明に係るカラオケ管理システムにおいて、
判定情報出力処理は、画像化された判定情報を表示出力する
【００１２】
さらに本発明に係るカラオケ管理システムにおいて、
ログイン要求処理は、携帯端末に記憶しているアカウント情報を使用する。
【００１３】
さらに本発明に係るカラオケ管理は、
識別情報取得処理において、判定情報を取得したことを契機として、ログイン要求処理を実行する。
【発明の効果】
【００１４】
本発明に係るカラオケ管理システムによれば、ユーザは、携帯端末６によるログイン操作のみで、携帯端末、及び、カラオケシステムに対して対応付けすることが可能である。したがって、ユーザの操作を省力化するとともに、アカウント情報を利用したサービスをより手軽に楽しむことが可能となり、当該サービスの利用率の向上を図ることが可能となる。
【００１５】
さらに本発明に係るカラオケ管理システムによれば、ユーザが所持する携帯端末における遠隔操作処理を実行可能としたことで、カラオケシステムのリモコン装置を共有することなく、手軽にカラオケシステムを遠隔操作することが可能となる。
【００１６】
さらに本発明に係るカラオケ管理システムによれば、携帯端末において、カラオケシステムに対応したユーザインターフェイスを使用することで、カラオケシステムの機種に対応した操作を行うことが可能となる。
【００１７】
さらに本発明に係るカラオケ管理システムによれば、ログイン要求に、サーバ装置から送信された認証情報を含めることで、カラオケシステムと携帯端末を対応付ける際のセキュリティ向上を図ることが可能となる。
【００１８】
さらに本発明に係るカラオケ管理システムによれば、判定情報出力処理において、画像化された判定情報を表示出力することで、携帯端末では、画像化された判定情報をカメラで撮影するという簡単な行為で、カラオケシステムの識別情報を取得することが可能となる。
【００１９】
さらに本発明に係るカラオケ管理システムでは、ログイン要求処理時、携帯端末に記憶しているアカウント情報を使用することで、キーボード（ソフトキーボード）等、を使用した入力操作を必要すること無く、携帯端末、及び、カラオケシステムに対してログインすることが可能となる。
【００２０】
さらに本発明に係るカラオケ管理システムでは、判定情報を取得したことを契機として、ログイン要求処理を実行することで、容易に携帯端末、及び、カラオケシステムに対してログインすることが可能となる。例えば、画像化された判定情報を使用した場合には、携帯端末で画像化された判定情報を撮影したことを契機として、ログイン要求を実行することが可能となる。
【図面の簡単な説明】
【００２１】
【図１】カラオケシステムの構成を示す図
【図２】携帯端末の構成を示す図
【図３】カラオケ管理システムにおける認証テーブル更新処理を示すフロー図
【図４】カラオケ管理システムにおける認証テーブル更新処理を示す模式図
【図５】カラオケ管理システムにおける認証処理、遠隔操作処理等を示すフロー図
【図６】カラオケ管理システムの判定情報出力（取得）処理、認証処理を示す模式図
【図７】リモコン装置のトップ画面を示す図
【図８】リモコン装置における判定情報の表示画面を示す図
【図９】ユーザ情報のデータ構成を示す図
【図１０】携帯端末に表示された楽曲確認画面を示す図
【図１１】カラオケ管理システムの装置側ログイン処理を示すフロー図
【図１２】カラオケ管理システムの装置側ログイン処理を示す模式図
【図１３】リモコン装置のアクティブユーザトップ画面を示す図
【図１４】カラオケ管理システムにおける遠隔操作処理を示す模式図
【発明を実施するための形態】
【００２２】
図１は、本発明の実施形態に係るカラオケシステムの構成を示す図である。本実施形態におけるカラオケシステムは、カラオケ装置２（コマンダ）と、リモコン装置１を含んで構成されている。カラオケ装置２とリモコン装置１は、ＬＡＮ１００及びアクセスポイント１１０を利用してネットワークを形成するように接続されている。
【００２３】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００２４】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳表示、映像効果等を実行する映像制御部３１を備えている。
【００２５】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００２６】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００２７】
さらに、カラオケ装置２は、各構成を統括して制御するための制御手段として、ＣＰＵにて構成される制御部３０、各種プログラムを実行するにあたって必要となる情報を一時記憶するためのメモリ２７を備えている。
【００２８】
このような構成にてカラオケ装置２は、各種処理を実行することとなるが、カラオケ装置２の主な機能として、楽曲指定処理、再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。再生処理は、予約された楽曲を再生させる処理であって、演奏処理と歌詞再生処理とが同期して実行される処理である。
【００２９】
演奏処理は、楽曲データに含まれる演奏データを音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００３０】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３１】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３２】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種指示は、対応付けされたカラオケ装置２にて受信されることとなる。
【００３３】
次に、本発明においてユーザが所持する携帯端末６について説明する。図２は、本発明の実施形態に係る携帯端末６の構成を示す図である。この携帯端末６としては、スマートフォン、タブレット端末、携帯電話等を使用することが可能である。この携帯端末６に、本発明に係るプログラム（アプリ）をインストールし、プログラム上において対応付け処理を実行することで、携帯端末６をカラオケ装置２のリモコンとして使用することが可能となる。
【００３４】
本実施形態の携帯端末６は、制御部６１、ＲＡＭ６２、記憶部６３、画像処理部６４、音響処理部６６を含んで構成された制御手段を有している。記憶部６３には、ハードディスク、ＳＳＤ等の不揮発性の記憶手段を採用することが可能である。この記憶部６３には、本実施形態における各種処理を実行可能なプログラム、そして、当該プログラムで使用する各種データが記憶される。
【００３５】
制御部６１は、ＣＰＵ等、携帯端末６全体を統括して制御する手段であり、記憶部６３に記憶されたプログラム、データに基づいて各種制御を実行する。ＲＡＭ６２には、制御部６１の制御によって生成されたデータを一時的に格納する。
【００３６】
音響処理部６６は、携帯端末６の音響関係の入出力を行う手段である。制御部６１の制御によりスピーカ６７ａに放音させる手段である。また、音響処理部６６は、マイクロホン６７ｂと接続され、マイクロホン６７ｂから周囲の音声を取り込み可能としている。
【００３７】
タッチパネル表示部６８は、画像を表示する表示部６８ｂとその表面あるいは裏面に配設されるタッチパネル６８ａを有して構成されている。タッチパネル６８ａには、静電容量方式などユーザのタッチ位置を認識可能とする各種タイプを採用することが可能である。制御部６１は、表示部６８ｂに表示を行うとともに、タッチパネル６８ａからのタッチ入力にて、表示させている画像中のどの部分にタッチ入力されたかを判定することが可能である。
【００３８】
画像処理部６４は、携帯端末６の画像関係の入出力を行う手段である。画像処理部６４は、制御部６１で形成された画像情報を表示部６８ｂに表示出力する。また画像処理部６４は、携帯端末６の前面（タッチパネル表示部６８側）に配置されたフロントカメラ６５Ｆ、もしくは、携帯端末６の背面に配置されたリアカメラ６５Ｒから画像を取り込む機能を有する。
【００３９】
通信部６９は、携帯無線網を介した無線通信を行うことが可能であり、無線基地局と無線通信することで、通話、あるいは、インターネットを使用した通信を行うことが可能である。携帯端末６はインターネット上のサーバから各種処理を実行可能なプログラムを含む各種プログラム（「アプリ」とも呼ばれる）をダウンロードすることが可能である。なお、プログラムは、通信回線を利用した形態以外に、外部メモリ接続端子７２に接続された外部メモリＥＸからインストールすることとしてもよい。通信部６９には、無線ＬＡＮ通信手段、あるいは、近距離通信手段（赤外線通信、Ｂｌｕｅｔｏｏｔｈ（商標）など）の近距離通信手段をさらに設けることとしてもよい。
【００４０】
本実施形態の携帯端末６は、入力手段としてタッチパネル６８ａ以外に入力スイッチ７０を備えて構成されている。この入力スイッチ７０には、電源スイッチ、音量調整スイッチ、実行するプログラムによって入力用途が変更されるスイッチ等、各種スイッチを設けることが可能である。
【００４１】
本実施形態の携帯端末６は、カラオケ業者が提供するプログラムをインストール、実行することで、携帯端末６と操作対象となるカラオケ装置２とを対応付け、携帯端末６からカラオケ装置２に対して楽曲の予約コマンド等、各種コマンド（操作指示情報）を送信することを可能としている。
【００４２】
図１で説明したカラオケ店舗に設置されるカラオケシステムにおいて、カラオケ店舗に来店したユーザは、自己の所持する携帯端末６を使用対象となるカラオケシステムのリモコンとして機能させることを可能としている。そのため、本実施形態のカラオケシステムは、ユーザが所持する携帯端末６と、使用対象となるカラオケシステムを対応付ける対応付け処理を行う。従来、このような対応付け処理は、ユーザが使用対象となるカラオケシステムにログインするとともに、同じアカウントを使用して携帯端末６でログインすることで行われていた。カラオケシステムを管理するサーバ装置５は、携帯端末６から送信された予約情報を、携帯端末６と同じアカウントでログインしているカラオケシステムに転送することで、携帯端末６は、カラオケシステムに対する遠隔操作処理を可能としている。このような従来の対応付け処理では、ユーザは、カラオケシステムと携帯端末６、それぞれに対してログインする必要があった。特に、カラオケシステムに対するログインでは、ユーザのアカウント情報（ユーザＩＤとパスワード等）を、タッチパネルモニタ１１に表示されたソフトキーボードを使用して入力する等、面倒な操作を要していた。
【００４３】
本実施形態のカラオケ管理システム（サーバ装置５と、携帯端末６で実行可能なプログラムと、少なくともカラオケ装置２を有するカラオケシステムと、を含んで構成されている。ユーザが所持する携帯端末６はカラオケ管理システムに含まれない。）は、このような状況を鑑みたものであって、携帯端末６を使用してログインすることで、使用対象となるカラオケシステムに対しても自動でログインすることを可能としている。
【００４４】
では、携帯端末６をカラオケ装置２のリモコンとして機能させるための各種処理について説明を行う。図３には、カラオケ管理システムにおける認証テーブル更新処理を示すフロー図が示されている。また、図４には、認証テーブル更新処理を示す模式図が示されている。本実施形態では、サーバ装置５で生成した認証情報を使用することとしている。カラオケ装置２は、認証情報要求のタイミングであると判定した場合（Ｓ１０１：Ｙｅｓ）、サーバ装置５に対してカラオケ装置２に個別に割り当てられているカラオケ装置ＩＤを含む認証情報要求をサーバ装置５に送信する認証情報要求処理（Ｓ１０２）を実行する。
【００４５】
認証情報要求のタイミングは、カラオケシステム（リモコン装置１あるいはカラオケ装置２）に対する操作に基づいて実行することが考えられる。例えば、カラオケボックスでは、顧客の退店後、従業員がカラオケシステムに対する認証情報要求操作を行うことが考えられる。このような形態では、顧客の使用後、認証情報が変更されるため、従前に使用していた顧客の携帯端末６は、そのリモコン機能が使用できない状態となる。したがって、退店した顧客によるリモコン操作を無効とし、カラオケ装置２に対する不適切な遠隔操作を無効とすることが可能となる。認証情報要求のタイミングは、このようにユーザの操作による形態のみならず、所定時間毎に自動で行う等、適宜形態を採用することが可能である。
【００４６】
サーバ装置５は、認証情報要求を受信した後、認証情報要求に含まれているカラオケ装置ＩＤ（カラオケ装置Ａ）に対応する認証情報を生成する（Ｓ２０１）。そして、サーバ装置５は、新たに生成した認証情報に基づいて、記憶部５１に記憶している認証テーブルを更新する（Ｓ２０２）。図４の場合、従前、カラオケ装置Ａに対応して認証情報Ａ１を記憶していたが、サーバ装置５は、今回の認証情報要求によって認証情報Ａ２を新たに生成し、カラオケ装置Ａに対応付けて記憶する。
【００４７】
サーバ装置５は、認証情報要求を送信してきたカラオケ装置２に対して、新たに生成した認証情報（認証情報Ａ２）を送信する（Ｓ２０３）。カラオケシステムは、受信（Ｓ１０３）した認証情報を使用して判定情報出力処理（Ｓ１０４）を実行する。図６には、認証テーブル更新処理の一部が模式図にて示されている。サーバ装置５は、認証情報要求のあったカラオケ装置２に対して認証情報（認証情報Ａ２）を送信する。認証情報を受信したカラオケ装置２は、当該カラオケ装置２に対応付けられているリモコン装置１に認証情報を転送する。リモコン装置１は、受信した認証情報に基づいて判定情報出力処理（Ｓ１０４）を実行する。
【００４８】
本実施形態の判定情報出力処理（Ｓ１０４）は、サーバ装置５から受信した認証情報と、カラオケ装置２の識別情報であるカラオケ装置ＩＤを含んだ判定情報をリモコン装置１のタッチパネルモニタ１１に表示することとしている。携帯端末６では、表示出力された判定情報をリアカメラ６５Ｒにて読み取ることで、判定情報を取得する判定情報取得処理を実行する。なお、判定情報出力処理は、このように判定情報を表示出力する形態のみならず、カラオケシステムから携帯端末６に無線送信する形態、あるいは、判定情報を音響信号に変換し、リモコン装置１のスピーカ８２から音響出力し、携帯端末６のマイクロホン６７ｂで受信する形態、あるいは、２次元バーコードのように可視化された状態では無く、透かし技術を使用し、不可視の状態で、タッチパネルモニタ１１、あるいは、モニタ４１に表示させることとする等、各種形態に変更することが可能である。
【００４９】
図７は、リモコン装置１のトップ画面、すなわち、リモコン装置１を起動した直後の画面を示す図である。本実施形態では、リモコン装置１のタッチパネルモニタ１１に表示を行うことで、リモコン装置１を操作するユーザに対して各種情報が提供される。
【００５０】
本実施形態のカラオケシステムでは、各リモコン装置１のタッチパネルモニタ１１からアカウント情報（後述するユーザ識別情報やパスワード）を入力することで、ログインすることが可能である。特に、本実施形態のカラオケシステムでは、複数のユーザをユーザ毎にログインさせることを可能としており、ログインした各ユーザ（ログインユーザ）に関する情報は画面上方に常時表示される。本実施形態においては、ログインした各ユーザに関する情報として、各ユーザの分身像（アバター）を表示するためのログインユーザ欄１０３が設けられている。なお、分身像としては、人、キャラクターを模した像の他、図形や記号など各種形態を採用することができる。
【００５１】
また、アカウントを有していないユーザのためのゲストアイコン１０２、ユーザを切り替えるためのユーザ切替スイッチ１０１が表示されている。ログインしたユーザは、ログインユーザ欄１０３に表示される分身像を選択、あるいは、ユーザ切替スイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切替の際には、パスワードなどを使用した認証を行うこととしてもよいが、認証を行うことなく簡易に切り替えることとしてもよい。
【００５２】
このリモコン装置１のトップ画面には、ユーザが所持する携帯端末６と、使用対象となるカラオケシステムを対応付けるための判定情報表示ボタン１０４が設けられている。ユーザは、自己が所持する携帯端末６を、カラオケシステムのリモコンとして使用したい場合、この判定情報表示ボタン１０４を操作することで、タッチパネルモニタ１１に２次元バーコードに画像化された判定情報を表示させる。図８には、リモコン装置１における判定情報の表示画面が示されている。タッチパネルモニタ１１には、２次元バーコードに画像化された判定情報を有する判定情報表示子画面１０５が表示されている。この２次元バーコードは、サーバ装置５から受信した認証情報と、使用対象となるカラオケ装置２のカラオケ装置ＩＤを含んだ判定情報が画像化されている。ユーザが、携帯端末６のリアカメラ６５Ｒでこの２次元バーコードを撮影することで、携帯端末６に判定情報を取得させる判定情報取得処理が実行される。
【００５３】
図５には、判定情報取得処理以降の携帯端末６とサーバ装置５間の処理を示すフロー図が示されている。また、図６は、カラオケ管理システムにおける認証情報の発行以降の処理を示す模式図を示したものである。携帯端末６は、２次元バーコードを撮影することで判定情報を取得する（Ｓ３０１：Ｙｅｓ）。携帯端末６は、撮影した２次元バーコードをデコードし、判定情報に含まれる認証情報と、カラオケ装置ＩＤを抽出する（Ｓ３０２）。図６の模式図では、判定情報に、認証情報（認証情報Ａ２）、カラオケ装置２のカラオケ装置ＩＤ（カラオケ装置Ａ）が含まれている。
【００５４】
そして、携帯端末６は、サーバ装置５に対してログイン要求を行う（Ｓ３０３）。ログイン要求は、携帯端末６を、予め作成したアカウント情報でログインさせる要求であって、ログインした携帯端末６では、自己の予約履歴を参照した楽曲予約等、各種サービスを受けることが可能である。本実施形態のログイン要求は、アカウント情報の他、判定情報（サーバ装置５から受信した認証情報、使用対象となるカラオケ装置２のカラオケ装置ＩＤ）を含んでいる。図６の模式図では、ログイン要求に、認証情報（認証情報Ａ２）、カラオケ装置２のカラオケ装置ＩＤ（カラオケ装置Ａ）、アカウント情報（ユーザアカウントＡ）が含まれている。ログイン要求で使用するアカウント情報は、ユーザＩＤ（ユーザ識別情報）とパスワードを含んで構成されている。
【００５５】
アカウント情報は、ログイン時、携帯端末６のタッチパネル表示部６８を使用してユーザに入力させる形態の他、過去に入力されたアカウント情報を記憶部６３に記憶して読み出す形態を使用することが可能である。本実施形態では、携帯端末６は、過去に入力されたアカウント情報を、記憶部６３に記憶して使用することとしている。したがって、本実施形態では、判定情報を取得したこと（Ｓ３０１：Ｙｅｓ）を契機として、記憶したアカウント情報を読み出し、ログイン要求の送信を行う（Ｓ３０３）ことが可能である。本実施形態のように、画像化された判定情報を使用する場合には、携帯端末６で画像化された判定情報を撮影したことを契機として、ログイン要求を実行することが可能であり、ユーザの操作省力化を図ることが可能である。
【００５６】
図９には、ログインしたユーザに各種サービスを提供するため、サーバ装置５にユーザ毎に記憶しているユーザ情報のデータ構成が示されている。本実施形態では、ユーザ情報として、ユーザＩＤとパスワードで構成されたアカウント情報の他、個人情報、マイうたテーブル、マイアーティストテーブルといった、ユーザに関する各種情報を含んで構成される。ユーザ情報は、サーバ装置５の記憶部５１に予め記憶されている。個人情報には、ユーザ名（実際の名前に限ったものでなく、ニックネームであってもよい）、性別、年齢、うた年齢、居住地、趣味などを含んで構成される。
【００５７】
マイうたテーブルは、ユーザによって登録された楽曲を記憶するテーブルであって、楽曲識別情報、音程調整値、過去の歌唱採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００５８】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００５９】
履歴テーブルは、ユーザが過去に演奏した楽曲に関する各種情報を記録した情報であって、本実施形態では、過去に演奏した（当該ユーザが予約、演奏した）楽曲について、楽曲の楽曲識別情報、演奏した日時を示す歌唱日時、採点情報などを含んで構成されている。ユーザは、この履歴テーブルに基づいて、過去に演奏した楽曲を呼び出して歌唱することができる。
【００６０】
ログイン要求を受信したサーバ装置５は、まず、ログイン要求に含まれるアカウント情報（ユーザＩＤとパスワード）と、記憶部５１に記憶しているユーザ情報中のアカウント情報を対比することでユーザ認証を行う（Ｓ２１２）。認証ができた場合（Ｓ２１３：Ｙｅｓ）には、携帯端末６に対してユーザ情報を送信する（Ｓ２１４）。携帯端末６では、ユーザ情報を受信すること（Ｓ３０４）、すなわちログインに成功することで、ユーザ情報を使用した各種サービスを使用することが可能となる。一方、認証ができなかった場合（Ｓ２１３：Ｎｏ）、サーバ装置５は、ログイン要求を送信してきた携帯端末６に認証エラー情報を送信する。認証エラー情報を受信した携帯端末６は、ログインできなかったことを示すメッセージ表示を行う。
【００６１】
さらにサーバ装置５では、携帯端末６とカラオケシステムを対応付けるための認証を行う（Ｓ２１６）。この認証は、ログイン要求に含まれる認証情報と、サーバ装置５で発行した認証情報を対比することで行われる。図６の模式図では、ログイン要求に含まれているカラオケ装置ＩＤ（カラオケ装置Ａ）と認証情報（認証情報Ａ２）が、認証テーブル上のものと一致していることで認証を判定する。認証できた場合（Ｓ２１６：Ｙｅｓ）には、サーバ装置５は、ユーザＩＤ（ユーザＡ）とカラオケ装置ＩＤ（カラオケ装置Ａ）とを対応付けて、記憶部５１に記憶する対応付けテーブルに登録する（Ｓ２１７）。
【００６２】
サーバ装置５は、この対応付けテーブルを使用して、ユーザＩＤに対応するカラオケ装置２を識別することが可能となる。対応付け処理の完了後、対応付けられたカラオケ装置２のリモコンとして機能することが可能となる。図１０には、携帯端末６のタッチパネル表示部６８に表示される楽曲確認画面が示されている。楽曲確認画面は、ユーザにより指定された楽曲名、歌手名等に基づいて指定された楽曲の詳細を示す画面であり、ユーザは楽曲確認画面にて楽曲を予約することが可能である。楽曲確認画面には、歌手名、曲名、歌い出し、楽曲に関するサムネイル画像といった楽曲関連情報６０１の他、キー設定、曲タイプ設定、投稿機能設定等、楽曲設定情報６０２が表示される。ユーザは、予約ボタン６０３を操作することで、表示されている楽曲を対応付けられたカラオケ装置２に予約することが可能となる。
【００６３】
また、携帯端末６では、サーバ装置５から受信したユーザ情報を使用した各種処理を実行することが可能である。この処理としては、マイうたテーブルに登録した楽曲を読み出して楽曲を予約する他、マイアーティストテーブルに登録した歌手に対応する楽曲を読み出して予約する、あるいは、履歴テーブルを使用して過去に予約した楽曲を再度予約すること等が挙げられる。
【００６４】
なお、携帯端末６において使用するユーザインターフェイスは、使用対象となるカラオケシステムの機種に対応したものを使用することが好ましい。カラオケシステムの機種の違いにより、使用可能となる機能にも違いが生じる場合がある。このようなユーザインターフェイスの変更は、携帯端末６においてカラオケシステムの機種情報を取得することで可能となる。カラオケシステムの機種情報は、カラオケシステムから取得する判定情報に含める形態の他、サーバ装置５において、カラオケ装置ＩＤに対応付けて機種情報を管理し、ログイン要求に含まれる識別情報に対応するカラオケシステムの機種情報を携帯端末６に送信する形態などが考えられる。
【００６５】
さらに、本実施形態のカラオケ管理システムでは、携帯端末６に対するログイン時に、携帯端末６に対応付けられたカラオケ装置２に対してログインする装置側ログイン処理（Ｓ２２０）を実行可能としている。図１１には、装置側ログイン処理（Ｓ２２０）を示すフロー図が示されている。図１２は、カラオケ管理システムにおいて、装置側ログイン処理（Ｓ２２０）を模式的に示した図を示したものである。
【００６６】
サーバ装置５は、まず、ログイン要求で受信したアカウント情報を、使用対象となるカラオケ装置２（ログイン要求に含まれるカラオケ装置ＩＤに対応するカラオケ装置２）に対して送信する（Ｓ２２１、図１２の第１の丸）。アカウント情報を受信（Ｓ４０１）したカラオケ装置２は、受信したアカウント情報を使用して、サーバ装置５にログイン要求を送信する（Ｓ４０２、図１２の第２の丸）。このログイン要求には、受信したアカウント情報が含まれている。カラオケ装置２からログイン要求を受信（Ｓ２２２）したサーバ装置５は、ログイン要求に含まれるアカウント情報を使用して認証を行う（Ｓ２２３）。この場合、先に認証は成功しているため、アカウント情報に対応するユーザ情報がカラオケ装置２に送信される（Ｓ２２４、図１２の第３の丸）。受信したユーザ情報は、カラオケ装置２に対応付けられたリモコン装置１に転送される（図１２の第４の丸）。
【００６７】
本実施形態では、装置側ログイン処理に、既存のログイン処理を利用した形態となっている。サーバ装置５は、受信したアカウント情報（アカウントＡ）を送信することとし、カラオケ装置２は、受信したアカウント情報（アカウントＡ）を、従来、リモコン装置１等から入力されるアカウント情報と同様に処理することで、装置側ログイン処理と既存のログイン処理のアルゴリズムを共通化し、新たなアルゴリズムの追加抑制が図られている。装置側ログイン処理では、このような形態以外に、使用対象となるカラオケ装置２に対して、ユーザ情報を送信することでログインさせる形態を採用してもよい。この場合、カラオケ装置２側でのアカウント情報の扱いは必要なくなるが、直接、ユーザ情報を受信することで、ユーザをログインさせる新たなアルゴリズムが必要になる。
【００６８】
図１３には、カラオケシステムにログインした際、リモコン装置１のタッチパネルモニタ１１に表示されるアクティブユーザトップ画面が示されている。アクティブユーザトップ画面では、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、従来の歌本と同様、歌手名、楽曲名に基づく検索を行うことができる。
【００６９】
以上、説明したように本実施形態では、携帯端末６に対するログイン時に、携帯端末６に対応付けられたカラオケ装置２（カラオケシステム）に対して自動的にログインすることが可能である。したがって、ユーザは、カラオケシステム側において、アカウント情報を入力する操作を必要とせず、カラオケシステムにおいてユーザ情報を使用した各種処理を実行することが可能である。ユーザは、携帯端末６によるログイン操作のみで、携帯端末６、及び、カラオケシステムに対してログインすることが可能である。したがって、ユーザの操作を省力化するとともに、アカウント情報を利用したサービスをより手軽に楽しむことが可能となり、当該サービスの利用率の向上を図ることが可能となる。
【００７０】
ところで、カラオケシステムは、カラオケ店舗やスナック等の公衆の場で使用されるため、セキュリティ上、カラオケシステムにアカウント情報を保存することには無理がある。一方、携帯端末６は、個人が所有する装置であるため、携帯端末６にアカウント情報を記憶し、ログイン時に入力操作無く使用することは一般的である。携帯端末６にアカウント情報を保存した場合、携帯端末６に保存したアカウント情報を使用することで、アカウント情報の入力操作を必要とせず、携帯端末６、及び、カラオケシステムに対してログインすることが可能となり、更なる操作性の向上が図られる。
【００７１】
ユーザ情報を受信したカラオケ装置２（カラオケシステム）では、携帯端末６の場合と同様、受信したユーザ情報中の各種テーブル（マイうたテーブル、マイアーティストテーブル、履歴テーブル等）を使用した各種処理を実行することが可能である。
【００７２】
図１４には、携帯端末６を使用した遠隔操作処理、リモコン装置１を使用した遠隔操作処理を示す模式図が示されている。まず、携帯端末６を使用したカラオケ装置２の遠隔操作処理について説明する。携帯端末６では、楽曲確認画面上、予約ボタン６０３をタッチ操作する等の行為により、コマンド入力があったことを判定した場合（Ｓ３０５：Ｙｅｓ）、サーバ装置５に対して送信コマンド情報を送信する（Ｓ３０６）。送信コマンド情報には、コマンド入力に対応するコマンド（コマンドＡ）と、携帯端末６に記憶しているユーザＩＤ（ユーザＡ）が含まれている。
【００７３】
サーバ装置５は、対応付けテーブルに基づいて転送処理を実行する。転送処理では、まず、対応付けテーブル上に、携帯端末６から送られてきた送信コマンド情報内のユーザＩＤ（ユーザＡ）が存在するか否かを判定する。対応付けテーブル上に、送信コマンド情報内のユーザＩＤがある場合、転送対象となるカラオケ装置２に対して転送コマンド情報を送信する（Ｓ２１８）。転送コマンド情報には、送信コマンド情報内のコマンド（コマンドＡ）と、宛先としてのカラオケ装置ＩＤ（カラオケ装置Ａ）と、コマンドを入力したユーザのユーザＩＤ（ユーザＡ）が含まれている。転送コマンド情報を受信（Ｓ４０４：Ｙｅｓ）したカラオケ装置２（カラオケ装置Ａ）は、転送コマンド情報に含まれるコマンド（コマンドＡ）に従って処理を実行する（Ｓ４０５）。
【００７４】
携帯端末６を使用した遠隔操作処理（Ｓ３０５、Ｓ３０６）は、携帯端末６において終了指示（ログアウト、あるいは、対応付け解除の指示）が入力される（Ｓ３０７：Ｙｅｓ）まで、繰り返し実行される。終了指示が入力された場合（Ｓ３０７：Ｙｅｓ）、携帯端末６は、サーバ装置５に対応付け解除指示を送信する（Ｓ３０８）。対応付け解除指示を受信したサーバ装置５は、対応付けテーブルから該当する項目（カラオケ装置ＩＤとユーザＩＤの対）を削除する。
【００７５】
次に、リモコン装置１を使用したカラオケ装置２の遠隔操作処理について説明する。リモコン装置１では、ログインしているユーザ（ユーザＡ）のユーザ情報を使用した遠隔操作処理を行うことが可能である。リモコン装置１の操作により、入力されたコマンド（コマンドＢ）は、ユーザＩＤ（ユーザＡ）と一緒に、コマンド情報としてカラオケ装置２に送信される。コマンド情報を受信（Ｓ４０４：Ｙｅｓ）したカラオケ装置２（カラオケ装置Ａ）は、コマンド（コマンドＢ）に従って処理を実行する（Ｓ４０５）。
【００７６】
カラオケシステム（本実施形態では、リモコン装置１を使用）における遠隔操作処理（Ｓ４０４、Ｓ４０５）は、カラオケシステムにおいて終了指示（ログアウト、あるいは、対応付け解除の指示）が入力される（Ｓ４０６：Ｙｅｓ）まで、繰り返し実行される。終了指示が入力された場合（Ｓ４０７：Ｙｅｓ）、カラオケシステムは、サーバ装置５に対応付け解除指示を送信する（Ｓ４０７）。対応付け解除指示を受信したサーバ装置５は、対応付けテーブルから該当する項目（カラオケ装置ＩＤとユーザＩＤの対）を削除する。このように、本実施形態では、カラオケシステム側、あるいは、携帯端末６側のどちらからも対応付け解除指示を行うことが可能となっている。
【００７７】
本実施形態のカラオケ管理システムでは、判定情報をカラオケシステムで形成することとしているが、判定情報の形成は、サーバ装置５で行うこととしてもよい。その場合、サーバ装置５は、カラオケ装置２から受け取った認証情報要求に基づいて、認証情報要求に含まれるカラオケ装置ＩＤとサーバ装置５で生成した認証情報に基づいて判定情報を形成する。その際、サーバ装置５で形成される判定情報は２次元バーコード化（画像化）された状態であってもよい。また、携帯端末６で受信した判定情報は、携帯端末６においてカラオケ装置ＩＤ、認証情報を抽出（デコード）してログイン要求に含める形態、あるいは、判定情報のままログイン要求に使用する形態のどちらであってもよい。
【００７８】
以上、説明したように本実施形態のカラオケ管理システムでは、ユーザは、携帯端末６によるログイン操作のみで、携帯端末６、及び、カラオケシステムに対してログインすることが可能である。したがって、ユーザの操作を省力化するとともに、アカウント情報を利用したサービスをより手軽に楽しむことが可能となり、当該サービスの利用率の向上を図ることが可能となる。
【符号の説明】
【００７９】
１ａ、１ｂ…リモコン装置                   ５…サーバ装置
１１…タッチパネルモニタ                   ５１…記憶装置
１１ａ…表示部                             ６…携帯端末（携帯型情報処理装置）
１１ｂ…タッチパネル                       ６１…制御部
１２…ビデオＲＡＭ                         ６２…ＲＡＭ
１３…映像制御部                           ６３…記憶部
１４…メモリ                               ６４…画像制御部
１５…ＣＰＵ                               ６５Ｆ…フロントカメラ
１６…無線ＬＡＮ通信部                     ６５Ｒ…リアカメラ
１７…操作部                               ６６…音響処理部
１８…操作処理部                           ６７ａ…スピーカ
１９…赤外線通信部                         ６７ｂ…マイクロホン
２…カラオケ装置（コマンダ）               ６８…タッチパネル表示部
２１…操作部                               ６８ａ…タッチパネル
２２…操作処理部                           ６８ｂ…表示部
２３…赤外線通信部                         ６９…通信部
２４…ＬＡＮ通信部                         ７０…入力スイッチ
２５…音響制御部                           ７１…外部入力端子
２７…メモリ                               ４１…モニタ
２８…ビデオＲＡＭ                         ７２…外部メモリ接続端子
２９…映像再生部                           ８１…音響制御部
３０…制御部                               ８２…スピーカ
３１…映像制御部                           １００…ＬＡＮ
３２…ＨＤＤ（ハードディスク）             １１０…アクセスポイント
４２…スピーカ                             １２０…ルータ
４４ａ、４４ｂ…歌唱用マイク（マイクロホン）
【図１】
0006422286.tif 000002
【図２】
0006422286.tif 000003
【図３】
0006422286.tif 000004
【図４】
0006422286.tif 000005
【図５】
0006422286.tif 000006
【図６】
0006422286.tif 000007
【図７】
0006422286.tif 000008
【図８】
0006422286.tif 000009
【図９】
0006422286.tif 000010
【図１０】
0006422286.tif 000011
【図１１】
0006422286.tif 000012
【図１２】
0006422286.tif 000013
【図１３】
0006422286.tif 000014
【図１４】
0006422286.tif 000015